(57)【要約】【課題】建築物の屋上に土壌を敷き詰め、該土壌に植物を植栽して屋上の緑化を行う場合に、土壌の下層に敷設されて、保水及び排水層に加えて防根層を形成する、軽量で強度が高い緑化用保水排水基盤を提供する。【解決手段】板状の基部１１と平面視多角形状の筒体１３をハニカム状に成型して構成する保水部１２とを備える緑化用排水基盤１０であって、保水部１２の筒体１３・１３・・・を形成する各側壁１３に開口部１３ｂを設けた。【選択図】図２
2006158322.tif 000002
【特許請求の範囲】
【請求項１】
板状の基部と平面視多角形状の筒体をハニカム状に成型して構成する保水部とを備える緑化用排水基盤であって、保水部の筒体を形成する各側壁に開口部を設けたことを特徴とする緑化用保水排水基盤。
【請求項２】
前記基部を他の基部と縁部で接合可能とし、これらの基部の接合部と筒体とに囲まれる空間と筒体により形成される空間とを開口部を介して連通したことを特徴とする請求項１に記載の緑化用保水排水基盤。
【請求項３】
前記基部と基部との接合部にシートを貼設可能としたことを特徴とする求項２に記載の緑化用保水排水基盤。
【請求項４】
前記筒体内に保水材を充填可能としたことを特徴とする請求項１から請求項３のいずれか一項に記載の緑化用保水排水基盤。
【請求項５】
前記基部の底面を平面に形成したことを特徴とする請求項１から請求項４のいずれか一項に記載の緑化用保水排水基盤。
【請求項６】
前記基部と基部との接合部上に断面視矩形状の筒体からなる嵌合体を嵌合し、該嵌合体の側面に複数の孔を設けたことを特徴とする請求項１から請求項５のいずれか一項に記載の緑化用保水排水基盤。
【発明の詳細な説明】
【技術分野】
【０００１】
本発明は、建築物の屋上などを緑化する場合に、土壌の下層に敷設されて保水及び排水層を形成する緑化用保水排水基盤に関する。
【背景技術】
【０００２】
従来から、建築物の屋上に土壌を敷き詰め、該土壌に植物を植栽して屋上の緑化を行うことによって、屋上への日光の直射を低減させて温度上昇を抑制し、省エネルギー化の促進やヒートアイランド現象の改善が図られている。屋上の緑化は、屋上スラブ上面に防水層、防根層、保水及び排水層、透過層、土壌を順に形成して、該土壌に植物を植栽して行われる。
【０００３】
この際、保水及び排水層は、砕石や火山砂利、黒曜石パーライトなどを用いた骨材で形成されたり、プラスチック、塩化ビニル、ポリエチレン、発泡スチロールなどを薄型の板体に成型した基盤で形成されたりして（例えば、特許文献１参照。）、土壌から浸透してきた水を貯留し、植物の生育に必要な量の水を保水する一方、余剰水を基盤外に排出するように構成されていた。
【特許文献１】特開平６−２０９６５５号公報
【発明の開示】
【発明が解決しようとする課題】
【０００４】
しかし、保水及び排水層が骨材で構成される場合、保水材である黒曜石パーライトなどは保水性や排水性を有するが、防根性が低いため、保水及び排水層の下層には防根層を設ける必要があり、緑化に際して施工に手間がかかるとともに、構成部材が多くなり、コスト高となっていた。
【０００５】
また、保水及び排水層が基盤を用いて構成される場合、例えば特許文献１に示されるように基盤に多数の凹部と孔が形成されて、凹部で保水が、孔により排水が行われるが、該基盤を屋上スラブに敷き詰める際、隣接する基盤と基盤との密着度が一部では低く、基盤と屋上スラブとの間に空間が広く形成されるため、重力方向の加重に対し弱く、強度に問題があった。さらに、基盤と屋上スラブとの間の空間に植物の根が侵入しやすくなり、屋上スラブの保護にも問題があった。
【０００６】
そこで本発明においては、保水層及び排水層に加えて防根層を形成し、かつ軽量で強度が高い緑化用保水排水基盤を提供することを課題とする。
【課題を解決するための手段】
【０００７】
本発明の解決しようとする課題は以上の如くであり、次にこの課題を解決するための手段を説明する。
【０００８】
即ち、請求項１においては、板状の基部と平面視多角形状の筒体をハニカム状に成型して構成する保水部とを備える緑化用排水基盤であって、保水部の筒体を形成する各側壁に開口部を設けたものである。
【０００９】
請求項２においては、前記基部を他の基部と縁部で接合可能とし、これらの基部の接合部と筒体とに囲まれる空間と筒体により形成される空間とを開口部を介して連通したものである。
【００１０】
請求項３においては、前記基部と基部との接合部にシートを貼設可能としたものである。
【００１１】
請求項４においては、前記筒体内に保水材を充填可能としたものである。
【００１２】
請求項５においては、前記基部の底面を平面に形成したものである。
【００１３】
請求項６においては、前記基部と基部との接合部上に断面視矩形状の筒体からなる嵌合体を嵌合し、該嵌合体の側面に複数の孔を設けたものである。
【発明の効果】
【００１４】
本発明の効果として、以下に示すような効果を奏する。
【００１５】
請求項１においては、緑化用保水排水基盤を建築物の屋上スラブなどの上に防水層を介して敷設し、該緑化用保水排水基盤の上に透過層を介して土壌を設けて、該土壌に植物を植栽して緑化を行う場合に、該緑化用保水排水基盤において各筒体内の空間に形成される保水部で保水することができる。
【００１６】
また、筒体の側壁に設けられた開口部により排水と通気を行うことができる。これにより、保水部の各筒体内に保水される水の量が異なる場合には、開口部から水を隣接する筒体内に流出させたり、保水部外に排出したりして、各筒体内の保水量を略均一に保つことができ、植物の植付場所による吸水のばらつきをなくして、均一な生長を期待できる。さらに、筒体内の保水部と土壌との間に通気用の空間を確保することができるため、保水部へ十分な酸素を供給でき、植物の根腐れを防止することができる。
【００１７】
また、筒体がハニカム状に成型されているため、緑化用保水排水基盤を軽量化でき、運搬が容易となるとともに、施工時の省力化を図ることができる。また、土壌や植物による加重や人による踏圧に対する強度を高めて耐用性を向上させることができる。よって、緑化用保水排水基盤を屋上スラブに敷設することで、該緑化用保水排水基盤が屋上の補強基盤としての役割をも果たすことになり、屋上を補強することもできる。
【００１８】
従来のように屋上スラブ上に防水層、防根層、保水及び排水層、透過層、土壌の順に設けて、植物を土壌に植栽して屋上緑化を行う場合に比べて、防根層と保水及び排水層とを軽量で強度が高い緑化用保水排水基盤のみで構成することができるので、屋上緑化の施工時の手間を省き、構成部材を減らしてコストを低減することができる。
【００１９】
請求項２においては、基部と基部の接合部と多角体に囲まれる空間を排水路として利用でき、土壌への降雨や散水により保水部に保水能力を超える水が土壌から浸透してきた場合に、余剰水を筒体の開口部から排水路に排出し、該排水路を通って速やかに緑化用保水排水基盤外に排出することができる。したがって、保水部に植物にとって必要以上の水が溜まらなくなり、水分過剰による根腐れを防止することができる。
【００２０】
請求項３においては、基盤を屋上スラブなどに敷設する際に、隣接する基盤と基盤との接合部にシート、例えばアルミ製などの粘着シートを貼設することで、植栽植物の根が基盤と屋上スラブとの間に基盤の接合部から侵入するのを防ぐことができ、緑化用保水排水基盤の防根性を高めて、屋上スラブの保護を強化することができる。
【００２１】
請求項４においては、保水部からの水分の蒸発を保水材により防止し、また保水材により空気中の水分を吸収して、緑化用保水排水基盤における保水性を高めることができる。したがって、保水部において保水材により水分の調節が可能となり、土壌への潅水が行われない場合でも、土壌の質や土厚、植物の種類などに応じて一定期間は無潅水で植物を生育できる。
【００２２】
さらに、降雨量が多くなるなどして、土壌への散水量が多くなった場合には、土壌から筒体内に浸透した水のうち、余剰水が保水材を介して筒体の開口部から排出されることになるため、根腐れの防止の効果を更に高めることができる。また、排水時において、水は筒体内で一度保水材に保水されるため、該保水材により浄化されてから排出されることになり、その排出先である下水道などの浄化に寄与することができる。
【００２３】
請求項５においては、基部と屋上スラブとの密着性を高めることができ、基盤を屋上スラブに隙間を生じさせることなく敷設して防根性を高めることができる。したがって、従来のように屋上スラブ上の防水層の上層にシート材などで防根層を形成する必要がなくなり、施工の手間を省くことができる。また、強風に対しても十分耐えて、緑化用保水排水基盤が屋上スラブ上でめくり上がるのを防止することができる。
【００２４】
請求項６においては、嵌合体の内部の空間を排水路として利用でき、土壌への降雨や散水により保水部に保水能力を超える水が土壌から浸透してきた場合に、余剰水を筒体の開口部から嵌合体の孔を経て排水路に排出し、該排水路を通って速やかに緑化用保水排水基盤外に排出することができる。つまり、嵌合体を設けても緑化用保水排水基盤の排水性を損なうことがなく、嵌合体により屋上スラブ上に敷き詰められた緑化用保水排水基盤に縦又は横方向の歪みが生じるのを防止できる。また、緑化用保水排水基盤の強度を全体的に高めることができる。
【発明を実施するための最良の形態】
【００２５】
次に、発明の実施の形態を説明する。
【００２６】
図１は屋上の緑化構造を示す側面断面図、図２は本発明の一実施例に係る緑化用保水排水基盤の平面図、図３は緑化用保水排水基盤の一部拡大平面図、図４は同じく斜視図、図５は保水部の筒体の平面図、図６は同じく側面図、図７は同じく斜視図、図８は緑化用保水排水基盤を敷き詰めた状態を示す平面図、図９は基部の接合部の側面図、図１０は嵌合体の平面図、図１１は同じく側面図、図１２は同じく断面図、図１３は排水路に嵌合体を嵌合した状態を示す断面図、図１４は緑化用保水排水基盤を敷き詰めて、嵌合体を設けた状態を示す平面図である。
【００２７】
本発明の緑化用保水排水基盤１０を用いて、建築物の屋上の緑化を行う場合、図１に示すように、まず屋上の屋上スラブ１の上面に防水層２が形成され、該防水層２上に緑化用保水排水基盤１０が敷設されて放水及び排水層が形成される。該放水及び排水層上に透過層４が形成され、該透過層４上に土壌５が敷き詰められて屋上スラブ１上に積層状に緑化構造が構成される。そして、土壌５に樹木や草花などの植物６が植栽されて、屋上の緑化が行われる。
【００２８】
図２から図７に示すように、前記緑化用保水排水基盤１０は合成樹脂などの植物６の根６ａが貫通することのない素材から構成され、図１に示すように、基部１１と保水部１２とを備えて構成されている。基部１１は平面視矩形状の薄型の板体で構成されており、底面が平面に形成されて、屋上スラブ１上に保水層２を介して密着して敷設可能とされている。
【００２９】
保水部１２は、平面視多角形状の筒体１３・１３・・・をハニカム状に成型して構成されている。本実施例では、各筒体１３は平面視八角形状とされ、隣接する筒体１３と側壁１３ａを共有して縦及び横方向に整列して基部１１の上面中央に一体的に成型され、上方のみが開放された状態とされている。なお、筒体１３の形状は、例えば平面視五角形状や平面視六角形状としてもよく、特に限定するものではない。
【００３０】
そして、保水部１２において、各筒体１３の内側の空間が第一保水部１５とされる一方、筒体１３の外側で隣接する複数の筒体１３・１３・・・の側壁に囲まれて形成される空間が第二保水部１６とされている。該第一保水部１５と第二保水部１６とは斜め方向において交互に多数配置され、これらの第一保水部１５・１５・・・と第二保水部１６・１６・・・とに上層の土壌５から透過層４を通過して浸透してくる水が貯溜されるように構成されている。
【００３１】
また、各筒体１３の側壁１３ａに、開口部１３ｂが設けられている。開口部１３ｂは側壁１３の上端縁部から上下中途部まで凹状に開口され、該開口部１３ｂにより隣り合う第一保水部１５と第一保水部１５とが、また第一保水部１５と第二保水部１６とが、第一保水部１５と後述する排水路１７とがそれぞれ連通可能とされている。
【００３２】
よって、各筒体１３において、側壁１３ａの開口部１３ｂが排水口と通気孔とを兼ねるものとなり、第一保水部１５と第二保水部１６とに土壌５への降雨や散水により保水能力を超える水が土壌５から浸透してきた場合には、開口部１３ｂから余剰水が保水部１２外へ排出されて、植物６の生育に必要な量の水だけが貯溜される。言い換えれば、第一保水部１５と第二保水部１６内の水の上面が開口部１３ｂの下端に至らない場合には、土壌５からの水は保水部１２外へ排出されず、第一保水部１５・１５・・・と第二保水部１６・１６・・・内に貯溜される。
【００３３】
また、第一保水部１５・１５・・・と第二保水部１６・１６・・・の一部に土壌５からの水が片寄って浸透してきた場合には、その余剰水を有する第一又は第二保水部１５・１６から少量の水しか貯溜していない第一又は第二保水部１５・１６に開口部１３ｂを介して水が流出し、第一及び第二保水部１５・１６に貯溜される水の量が略均一に保たれる。したがって、土壌５に植栽した植物６の植付場所による吸水のばらつきがなくなり、全ての植物に対し安定した生長を期待できる。
【００３４】
このように、第一及び第二保水部１５・１６に保水される水は、余剰水として保水部１２外へ排出されるか、第一又は第二保水部１５・１６間を移動して第一及び第二保水部１５・１６で一定量となるように貯溜されることから、第一及び第二保水部１５・１６と土壌５との間、つまり各筒体１３の上部に通気用空間が常に確保される。よって、筒体１３の側壁１３ａ上部に設けられた開口部１３ｂを介して保水部１５・１６に酸素を十分に供給することが可能となり、第一又は第二保水部１５・１６に達した植物６の根６ａに対し根腐れの防止を図ることができる。
【００３５】
そして、図８、図９に示すように、前記保水部１２を上面中央に備えた基部１１が他の基部１１と四辺の縁部でそれぞれ接合されて、緑化用保水排水基盤１０が屋上スラブ１などに敷設されるように構成されている。基部１１と基部１１とが接合される際、各基部１１の接合部１１ａと保水部１２の最も外側に位置する筒体１３・１３・・・の各側壁１３ａとに囲まれる空間が排水路１７とされ、該排水経路１７が屋上スラブ１上に敷き詰められた緑化用保水排水基盤１０・１０・・・上において各基部１１上の保水部１２が碁盤目状となるように縦及び横方向に構成されている。
【００３６】
こうして、保水部１２の第一及び第二保水部１５・１６に保水能力を超える水が土壌５から浸透してきた場合に、余剰水が最も外側の筒体１３・１３・・・の各側壁１３ａに形成された開口部１３ｂから排水路１７に排出され、該排水路１７を通って速やかに緑化用保水排水基盤１０外に排出されるように構成されている。したがって、保水部１２の第一及び第二保水部１５・１６に植物６にとって必要以上の水が溜まらなくなり、水分過剰による根腐れを防止することができる。
【００３７】
さらに、前記基部１１と基部１１との接合部１１ａにはシート材１９が貼設可能とされている。シート材１９としては例えばアルミ製の粘着シート材が用いられ、図９に示すように、該シート材１９を基部１１と基部１１との接合部１１ａに貼設することにより、該接合部１１ａから緑化用保水排水基盤１０の下層に形成される防水層２への植物６の根６ａの侵入を確実に防止して、防根性をさらに高めることができる。なお、シート材は防根性の高いものであればよい。
【００３８】
また、前記接合部１１ａ上方の排水路１７には嵌合体２０が嵌合可能とされている。図１０から図１２に示すように、嵌合体２０は断面視矩形状の筒体で構成され、図１３に示すように、排水路１７、つまり基部１１側端面上と、前記接合部１１ａと、保水部１２・１２の筒体１３・１３・・・の各側壁１３ａとにより囲まれる空間に、その大きさに合わせた嵌合体２０が嵌合される。本実施例では、嵌合体２０は長手方向の長さが異なる二種類の嵌合体２０Ａ・２０Ｂが各空間に隙間なく嵌合されるようにしており、図１４に示すように、これらが屋上スラブ１上に敷き詰められた緑化用保水基盤１０・１０・・・の基部１１・１１・・・と保水部１２・１２・・・とにより形成される排水路１７に沿って縦又は横方向に配置されて連通される。
【００３９】
そして、各嵌合体２０の筒体１３・１３・・・と接する面、即ち、側面に多数の孔２０ａ・２０ａ・・・が設けられ、これらの孔２０ａ・２０ａ・・・と筒体１３・１３・・・各開口部１３ｂ・１３ｂ・・・とにより嵌合体２０内の空間と各筒体１３内の空間とが連通される。こうして、保水部１２の第一及び第二保水部１５・１６の水が孔２０ａ・２０ａ・・・を介して嵌合体２０内の空間に排出可能とされ、この孔２０ａ・２０ａ・・・を通過するときに大きなゴミ等は除去され、この空間が前記排水路１７に代わって排水路２１とされる。
【００４０】
そのため、保水部１２の第一及び第二保水部１５・１６とに保水能力を超える水が土壌５から浸透してきた場合でも、余剰水は最も外側の筒体１３・１３・・・の各側壁１３ａに形成された開口部１３ｂから嵌合体２０の孔２０ａ・２０ａ・・・を経て排水路２１に排出され、嵌合体２０に沿って排水路２１から速やかに緑化用保水排水基盤１０外に排出される。
【００４１】
したがって、嵌合体２０を設けても緑化用保水排水基盤１０・１０・・・の排水性を損なうことがなく、嵌合体２０により屋上スラブ１上に敷き詰められた緑化用保水排水基盤１０・１０・・・に縦又は横方向の歪みが生じるのを防止できる。また、緑化用保水排水基盤の強度を全体的に高めることができる。なお、嵌合体２０は緑化用保水排水基盤１０と同じ素材から構成するなどして、高い防根性を有するものとする。
【００４２】
また、前記筒体１３・１３・・・により形成される第一保水部１５・１５・・・と第二保水部１６・１６・・・には保水材が充填可能とされている。保水材としては、例えば保水作用の高い珪藻土などからなる多孔質土壌が利用され、該保水材を第一保水部１５・１５・・・と第二保水部１６・１６・・・に充填することで、土壌５への降雨量や潅水量が少なく、土壌中の水分が不足した場合に、第一及び第二保水部１５・１６からの水分の蒸発が保水材により防止され、また保水材により空気中の水分が吸収されて、緑化用保水排水基盤１０における保水性が高められる。よって、第一及び第二保水部１５・１６において、保水材により水分の調節が可能となり、土壌５への潅水が行われない場合でも、土壌の質や土厚、植物の種類などに応じて一定期間は無潅水で植物６を生育できる。
【００４３】
逆に、土壌５への降雨量や潅水量が必要以上に多く、土壌５から第一及び第二保水部１５・１６に浸透した水が保水材の保水能力を超える場合には、緑化用保水排水基盤１０において余剰水が第一及び第二保水部１５・１６から各筒体１３の開口部１３ｂを通って排水路１７に排出され、根腐れの防止が図られる。この際、水は第一及び第二保水部１５・１６で一度保水材に保水されるため、該保水材により浄化されてから排出されることになり、その排出先である下水道などの浄化に寄与することができる。また、トイレの洗浄水などとして利用することも可能となる。
【００４４】
このようにして緑化用保水排水基盤１０は構成され、屋上の緑化に際して屋上スラブ１上に防水層２を介して隙間なく敷き詰められて、前述のように防水層２上に保水及び排水層を形成する。このとき、緑化用保水排水基盤１０は基部１１の底面が平面に形成されていることから、基部１１と屋上スラブ１との間に隙間を生じさせることなく屋上スラブ１に密着して敷設される。また、隣接する緑化用保水排水基盤１０と基部１１が接合されて敷き詰められる。これにより、植物６の根６ａの防水層２への侵入を防止して、防根性を高め、根６ａから屋上スラブ１を保護することができる。
【００４５】
したがって、従来のように屋上スラブ上の防水層の上層にシート材などを敷設して防根層を形成する必要がなくなり、施工の手間を省くことができる。また、緑化用保水排水基盤１０と屋上スラブ１との密着性を高めることができるので、高層ビルなどに特有な強風に対しても十分耐えて、緑化用保水排水基盤１０が屋上スラブ１上でめくり上がるのを防止することができる。
【００４６】
そして、緑化用保水排水基盤１０の筒体１３上端に不織布などが貼設されて保水及び排水層の上に透過層４が形成され、該透過層４の上に土壌５が敷き詰められる。ここで、緑化用保水排水基盤１０の保水部１２が複数の筒体１３をハニカム状に成型して構成されていることから、土壌５や植物６による加重や人による踏圧に対する強度を高めて耐用性を向上させることができる。よって、該緑化用保水排水基盤１０が屋上の補強基盤としての役割をも果たすことになり、屋上を補強することもできる。また、緑化用保水排水基盤１０自体を軽量化でき、これにより運搬が容易となるとともに、施工時の省力化を図ることができる。
【００４７】
以上により、従来のように屋上スラブ上に防水層、防根層、保水及び排水層、透過層、土壌の順に設けて緑化構造を構成し、土壌に植物を植栽して屋上緑化を行う場合に比べて、防根層と保水及び排水層とを軽量で強度が高い緑化用保水排水基盤１０・１０・・・のみで構成することができる。したがって、屋上緑化の施工時の手間を省き、構成部材を減らしてコストを低減することができるとともに、屋上スラブ１の保護を強化できる。
【図面の簡単な説明】
【００４８】
【図１】屋上の緑化構造を示す側面断面図。
【図２】本発明の一実施例に係る緑化用保水排水基盤の平面図。
【図３】緑化用保水排水基盤の一部拡大平面図。
【図４】同じく斜視図。
【図５】保水部の筒体の平面図。
【図６】同じく側面図。
【図７】同じく斜視図。
【図８】緑化用保水排水基盤を敷き詰めた状態を示す平面図。
【図９】基部の接合部の側面図。
【図１０】嵌合体の平面図。
【図１１】同じく側面図。
【図１２】同じく断面図。
【図１３】排水路に嵌合体を嵌合した状態を示す断面図。
【図１４】緑化用保水排水基盤を敷き詰めて、嵌合体を設けた状態を示す平面図。
【符号の説明】
【００４９】
１０    緑化用保水排水基盤
１１    基部
１１ａ    接合部
１２    保水部
１３    筒体
１３ａ    側壁
１３ｂ    開口部
１５    第一保水部
１６    第二保水部
１７    排水路
１９    シート材
【図１】
2006158322.tif 000003
【図２】
2006158322.tif 000004
【図３】
2006158322.tif 000005
【図４】
2006158322.tif 000006
【図５】
2006158322.tif 000007
【図６】
2006158322.tif 000008
【図７】
2006158322.tif 000009
【図８】
2006158322.tif 000010
【図９】
2006158322.tif 000011
【図１０】
2006158322.tif 000012
【図１１】
2006158322.tif 000013
【図１２】
2006158322.tif 000014
【図１３】
2006158322.tif 000015
【図１４】
2006158322.tif 000016